(57)【特許請求の範囲】
【請求項１】
橋脚によって支持された橋桁の下方部分を含む領域に、矩形断面を有する中空の函体構造物を前記橋脚を横断して構築するための函体構造物の構築方法であって、
前記橋桁の下方の前記函体構造物の側壁部が配置される部分の地盤を掘削して側部立坑を築造する工程と、
前記函体構造物の側壁部が設けられる位置に沿って、前記函体構造物の天盤部の高さ位置まで前記側部立坑内から横設した矩形パイプを積み上げて縦方向パイプ列を設置する工程と、
前記側部立坑を埋戻すと共に、前記縦方向パイプ列と前記橋脚との間の部分に土砂を充填して横方向パイプ列の支持基盤を形成する工程と、
前記縦方向パイプ列の最上段に配置されると共に上面に縁切り板が載置された角部矩形パイプから横方向に連設して、前記横方向パイプ列を構成する横設した矩形パイプを、前記函体構造物の天盤部が設けられる高さ位置に沿って上面に縁切り板が載置された状態で前記支持基盤上に設置する工程と、
前記橋桁と前記角部矩形パイプ及び／又は前記支持基盤上の矩形パイプとの間に介在させて桁受け部材を取り付けることにより、該桁受け部材によって前記橋桁を支持させる工程と、
前記支持基盤上の矩形パイプから横方向に連設して、前記横方向パイプ列を構成する矩形パイプを、前記橋脚を横断すると共に上面に縁切り板が載置された状態で設置する工程とを含み、
前記函体構造物の両側の側壁部及び天盤部に沿って前記縦方向パイプ列及び前記横方向パイプ列を設置したら、前記橋脚を挟んだ横断方向の一方の側部に設けた既製の前記函体構造物の端面を前記縦方向パイプ列及び前記横方向パイプ列に直接又は間接的に当接させた後に、前記橋脚を含む地盤の土砂を前記函体構造物の中空内部を介して撤去しつつ前記函体構造物を前記橋脚を挟んだ横断方向の他方の側部に向けて押し出し、前記角部矩形パイプを含む前記横方向パイプ列の矩形パイプの上面に載置された前記縁切り板の下面をガイド面として、当該縁切り板を残置しつつ前記函体構造物を前記縦方向パイプ列及び前記横方向パイプ列と置換することにより、前記函体構造物を前記橋桁の下方部分を含む領域に前記橋脚を横断して構築する函体構造物の構築方法。
【請求項２】
前記桁受け部材によって前記橋桁を支持させる工程において、前記桁受け部材は、前記角部矩形パイプ及び／又は前記支持基盤上の矩形パイプの上面に載置された前記縁切り板に対してスライド移動可能に設置される請求項１に記載の函体構造物の構築方法。
【請求項３】
前記側部立坑の外側の土留壁を、前記函体構造物の天盤部が設けられる高さ位置まで上方に延設する工程を含み、前記側部立坑を埋戻すと共に前記縦方向パイプ列と前記橋脚との間の部分に土砂を充填する工程において、前記土留壁の上方への延設部分と前記縦方向パイプ列と間の部分にも土砂を充填する請求項１に記載の函体構造物の構築方法。
【発明の詳細な説明】
【技術分野】
【０００１】
本発明は、函体構造物の構築方法に関し、特に、橋脚によって支持された橋桁の下方部分を含む領域に、矩形断面を有する中空の函体構造物を橋脚を横断して構築するための函体構造物の構築方法に関する。
【背景技術】
【０００２】
例えば鉄道の軌条や道路の下方を横断するようにして設けられている地下道等の既設の地下構造物が、長年の使用によって改築する必要を生じた場合や、これらの地下構造物を拡幅する必要を生じた場合に、鉄道や道路の使用状態を保持したまま、新たな地下構造物を構築できるようにする技術が種々開発されている（例えば、特許文献１参照）。
【０００３】
特許文献１の既設地下構造物の改築方法では、既設の地下構造物よりも大型の地下構造物となる函体構造物を新たに構築する際に、当該函体構造物の両側の側壁部及び天盤部が配置される部分に沿って、矩形パイプによる縦方向パイプ列及び横方向パイプ列を地中に設置しておき、横方向パイプ列の上面に載置した縁切り板の端部を不動箇所に固定した状態で、既製の函体構造物の端面を縦方向パイプ列及び横方向パイプ列に当接させた後に、既設の地下構造物を含む地盤を函体構造物の中空内部を介して撤去しつつ函体構造物を前進させ、横方向パイプ列の矩形パイプの上面に載置した縁切り板の下面をガイド面として、当該縁切り板を残置しつつ既成の函体構造物を縦方向パイプ列及び横方向パイプ列と置換することにより、鉄道や道路の使用状態を保持したまま、函体構造物によって新たに地下構造物を構築するようにしたものである。
【特許文献１】特公平６−１０５０２５号公報
【発明の開示】
【発明が解決しようとする課題】
【０００４】
特許文献１に記載の既設地下構造物の改築方法では、鉄道の軌条や道路の下方の基礎地盤中に設けられた既設地下構造物を、既製の函体構造物を矩形パイプからなる縦方向パイプ列及び横方向パイプ列と置換することによって新たに地下構造物を構築するものであことから、橋脚によって支持された橋桁の下方部分を含む領域に、橋脚を横断して中空の函体構造物を設置して、例えば立体交差の道路や通路等を構築しようとする場合には、特許文献１に記載の技術をそのまま適用することは困難である。
【０００５】
すなわち、橋脚によって支持された橋桁の下方部分を含む領域に、橋脚を横断して中空の函体構造物を設置する場合には、橋桁の下方は基礎地盤が存在しない中空部分となっているため、また函体構造物を横断する部分の橋脚を撤去することになるため、鉄道や道路の使用状態を保持するには、構築作業中に橋桁からの荷重を何らかの方法によって強固かつ安定した状態で支持する必要がある。したがって、橋脚を横断する函体構造物の構築作業中に、橋桁からの荷重を強固かつ安定した状態で支持できるようにするための新たな技術の開発が要望されている。
【０００６】
本発明は、橋脚によって支持された橋桁の下方部分を含む領域に、矩形断面を有する中空の函体構造物を橋脚を横断して構築する際に、橋桁からの荷重を強固かつ安定した状態で支持しつつ、函体構造物を縦方向パイプ列及び横方向パイプ列と置換することのできる函体構造物の構築方法を提供することを目的とする。
【課題を解決するための手段】
【０００７】
本発明は、橋脚によって支持された橋桁の下方部分を含む領域に、矩形断面を有する中空の函体構造物を前記橋脚を横断して構築するための函体構造物の構築方法であって、前記橋桁の下方の前記函体構造物の側壁部が配置される部分の地盤を掘削して側部立坑を築造する工程と、前記函体構造物の側壁部が設けられる位置に沿って、前記函体構造物の天盤部の高さ位置まで前記側部立坑内から横設した矩形パイプを積み上げて縦方向パイプ列を設置する工程と、前記側部立坑を埋戻すと共に、前記縦方向パイプ列と前記橋脚との間の部分に土砂を充填して横方向パイプ列の支持基盤を形成する工程と、前記縦方向パイプ列の最上段に配置されると共に上面に縁切り板が載置された角部矩形パイプから横方向に連設して、前記横方向パイプ列を構成する横設した矩形パイプを、前記函体構造物の天盤部が設けられる高さ位置に沿って上面に縁切り板が載置された状態で前記支持基盤上に設置する工程と、前記橋桁と前記角部矩形パイプ及び／又は前記支持基盤上の矩形パイプとの間に介在させて桁受け部材を取り付けることにより、該桁受け部材によって前記橋桁を支持させる工程と、前記支持基盤上の矩形パイプから横方向に連設して、前記横方向パイプ列を構成する矩形パイプを、前記橋脚を横断すると共に上面に縁切り板が載置された状態で設置する工程とを含み、前記函体構造物の両側の側壁部及び天盤部に沿って前記縦方向パイプ列及び前記横方向パイプ列を設置したら、前記橋脚を挟んだ横断方向の一方の側部に設けた既製の前記函体構造物の端面を前記縦方向パイプ列及び前記横方向パイプ列に直接又は間接的に当接させた後に、前記橋脚を含む地盤の土砂を前記函体構造物の中空内部を介して撤去しつつ前記函体構造物を前記橋脚を挟んだ横断方向の他方の側部に向けて押し出し、前記角部矩形パイプを含む前記横方向パイプ列の矩形パイプの上面に載置された前記縁切り板の下面をガイド面として、当該縁切り板を残置しつつ前記函体構造物を前記縦方向パイプ列及び前記横方向パイプ列と置換することにより、前記函体構造物を前記橋桁の下方部分を含む領域に前記橋脚を横断して構築する函体構造物の構築方法を提供することによって、上記目的を達成したものである。
【０００８】
そして、本発明の函体構造物の構築方法では、前記桁受け部材によって前記橋桁を支持させる工程において、前記桁受け部材は、前記角部矩形パイプ及び／又は前記支持基盤上の矩形パイプの上面に載置された前記縁切り板に対してスライド移動可能に設置されることが好ましい。
【０００９】
また、本発明の函体構造物の構築方法では、前記側部立坑の外側の土留壁を、前記函体構造物の天盤部が設けられる高さ位置まで上方に延設する工程を含み、前記側部立坑を埋戻すと共に前記縦方向パイプ列と前記橋脚との間の部分に土砂を充填する工程において、前記土留壁の上方への延設部分と前記縦方向パイプ列と間の部分にも土砂を充填するようにすることが好ましい。
【発明の効果】
【００１０】
本発明の函体構造物の構築方法によれば、橋脚によって支持された橋桁の下方部分を含む領域に、矩形断面を有する中空の函体構造物を前記橋脚を横断して構築する際に、橋桁からの荷重を強固かつ安定した状態で支持しつつ、函体構造物を縦方向パイプ列及び横方向パイプ列と置換することができる。
【発明を実施するための最良の形態】
【００１１】
本発明の好ましい一実施形態に係る函体構造物の構築方法は、図１及び図２に示すように、例えば鉄道の軌条１３の下方を貫通して、道路トンネル用の地下構造物を形成するための矩形断面を有する中空の函体構造物１０を、先行して設けられた縦方向パイプ列１１及び横方向パイプ列１２と置換することにより設置して構築する際に採用されたものである。
【００１２】
すなわち、本実施形態では、函体構造物１０は、鉄道の軌条１３の下方の部分において、基礎地盤１４から、橋脚１５によって一端が支持された端桁１６の下方部分にはみ出して構築されるように計画されている。したがって、本実施形態では、橋脚１５を横断して函体構造物１０を構築することになるが、橋脚１５を横断させる場合でも、端桁１６を安定した状態で支持して、鉄道を使用状態に保持したまま函体構造物１０の構築作業を行えるようにするために、本発明の函体構造物１０の構築方法を採用したものである。
【００１３】
そして、本実施形態の函体構造物１０の構築方法は、橋脚１５によって支持された橋桁１６の下方部分を含む領域に、矩形断面を有する中空の函体構造物１０を橋脚１５を横断して構築するための構築方法であって、図３及び図４にも示すように、橋桁１６の下方の函体構造物１０の側壁部１０ａが配置される部分の地盤を掘削して側部立坑１８を築造する工程と、函体構造物１０の側壁部１０ａが設けられる位置に沿って、函体構造物１０の天盤部１０ｂの高さ位置まで側部立坑１８内から横設した矩形パイプ１９ａを積み上げて縦方向パイプ列１１を設置する工程と、側部立坑１８に土砂２０を充填して埋戻すと共に、縦方向パイプ列１１と橋脚１５との間の部分に土砂２０を充填して横方向パイプ列１２の支持基盤２１を形成する工程と、縦方向パイプ列１１の最上段に配置されると共に上面に縁切り板２２（図５参照）が載置された角部矩形パイプ１９ｂから横方向に連設して、横方向パイプ列１２を構成する横設した矩形パイプ１９ｃを、函体構造物１０の天盤部１０ｂが設けられる高さ位置に沿って上面に縁切り板２２（図５参照）が載置された状態で支持基盤２１上に設置する工程と、橋桁１６と角部矩形パイプ１９ｂ及び／又は支持基盤２１上の矩形パイプ１９ｃとの間に介在させて桁受け部材１７を取り付けることにより、この桁受け部材１７によって橋桁１６を支持させる工程と、支持基盤２１上の矩形パイプ１９ｃから横方向に連設して、横方向パイプ列１２を構成する矩形パイプ１９ｃを、橋脚１５を横断すると共に上面に縁切り板２２（図５参照）が載置された状態で設置する工程とを含んでいる。
【００１４】
また、本実施形態では、函体構造物１０の両側の側壁部１０ａ及び天盤部１０ｂに沿って縦方向パイプ列１１及び横方向パイプ列１２を設置したら（図１参照）、橋脚１５を挟んだ横断方向の一方の側部に設けた既製の函体構造物１０の端面１０ｄを縦方向パイプ列１１及び横方向パイプ列１２に直接又は間接的に当接させた後に（図２参照）、図８〜図１０に示すように、橋脚１５を含む軌条１３の下方の基礎地盤１４の土砂を函体構造物１０の中空内部を介して撤去しつつ函体構造物１０を橋脚１５を挟んだ横断方向の他方の側部に向けて押し出し、角部矩形パイプ１９ｂを含む横方向パイプ列１２の矩形パイプ１９ｃの上面に載置された縁切り板２２（図５参照）の下面をガイド面として、当該縁切り板２２を残置しつつ函体構造物１０を縦方向パイプ列１１及び横方向パイプ列１２と置換することにより、函体構造物１０を橋桁１６の下方部分を含む領域に橋脚１５を横断して構築するようになっている。
【００１５】
さらに、本実施形態では、図４に示すように、側部立坑１８の外側の土留壁２３ａを、函体構造物１０の天盤部１０ａが設けられる高さ位置まで上方に延設する工程を含んでおり、側部立坑１８を埋戻すと共に縦方向パイプ列１１と橋脚１５との間の部分に土砂２０を充填する工程において、外側の土留壁２３ａの上方への延設部分２４と縦方向パイプ列１１と間の部分にも土砂２０を充填するようになっている。
【００１６】
本実施形態では、橋桁１６の下方の函体構造物１０の側壁部１０ａが配置される部分の地盤を掘削して、側部立坑１８を築造する工程においては、図３に示すように、橋脚１５と隣接する橋桁１６の下方の地盤に、一対の通り線に沿って例えばＨ形鋼からなる土留杭を所定の間隔をおいて複数打込むと共に、土留杭の間隔部分に横矢板を設置しつつ一対の通り線の間の地盤を函体構造物１０の底盤部１０ｃが位置する深さまで掘り下げ、さらに切梁や腹起し等の支保部材２５を取り付けることによって、土留壁２３ａ，２３ｂによって両側の壁面が保護された側部立坑１８が築造されることになる。また、側部立坑１８の底部には、例えば基礎砕石を敷均し転圧すること等によって、基盤部１８ａが形成される。さらに、内側の土留壁２３ｂと基盤部１８ａとの角部分には、矩形パイプ１９ａの受け台２６が、基盤部１８ａから支持された状態で設置される。また本実施形態では、橋脚１５側に設けられる内側の土留壁２３ｂは、その壁面が、函体構造物１０の側壁部１０ａによって押し出される縦方向パイプ列１１の内側の通り線に沿って配置されるように設置されている（図４参照）。
【００１７】
函体構造物１０の側壁部１０ａが設けられる位置に沿って、横設した矩形パイプ１９ａを積み上げて縦方向パイプ列１１を設置する工程では、図４に示すように、矩形パイプ１９ａの内側面を内側の土留壁２３ｂの壁面に沿わせつつ、側部立坑１８の基盤部１８ａに設置した受け台２６から上方に向けて、函体構造物１０の天盤部１０ｂの高さ位置まで順次積み上げてゆく。また積み上げた最上段に角部矩形パイプ１９ｂを取り付けることにより、縦方向パイプ列１１を形成する。
【００１８】
ここで、縦方向パイプ列１１を構成する矩形パイプ１９ａや角部矩形パイプ１９ｂは、例えばアール・アンド・シー工法（株式会社奥村組製）に使用する公知の矩形パイプを好ましく用いることができる。これらの矩形パイプ１９ａ，１９ｂは、例えば外周面から突出して設けた継手リブ等を介して互いに連結することにより、縦方向に積み重ねた状態で容易に接合一体化することができる。
【００１９】
また、本実施形態では、側部立坑１８の内側の土留壁２３ｂは、上述のように、その壁面が、縦方向パイプ列１１の内側の通り線に沿って配置されるように形成されている。これによって、内側の土留壁２３ｂの壁面をガイドとして、縦方向パイプ列１１の少なくとも下半部分の矩形パイプ１９ａを積み上げて行く作業を容易にすることが可能になる。また側部立坑１８に土砂２０を充填して埋戻した際に、埋戻した土砂２０の土圧によって縦方向パイプ列１１の下半部分の矩形パイプ１９ａを内側の土留壁２３ｂに押し付けるようにして支持させることが可能になる。これによって、縦方向パイプ列１１をより安定した状態で設置することが可能になる。なお、内側の土留壁２３ａは、後述するように橋脚１５や基礎地盤１４の掘削土砂を撤去しつつ既製の函体構造物１０を押し出して行く際に、これらの掘削土砂や解体ガラ等と共に函体構造物１０の中空内部を介して撤去されることになる。
【００２０】
側部立坑１８を埋戻すと共に、形成した縦方向パイプ列１１と橋脚１５との間の部分に土砂２０を充填する工程では、土砂２０として例えば砂質土等からなる良質土を、側部立坑１８や縦方向パイプ列１１と橋脚１５との間の部分に投入する。また投入された土砂は、所定の敷均し厚さ毎に十分に転圧して、強固に締め固められた状態とする。
【００２１】
ここで、本実施形態では、上述のように、側部立坑１８の外側の土留壁２３ａは、函体構造物１０の天盤部１０ｂが設けられる高さ位置まで上方に延設して設けられており、外側の土留壁２３ａの上方への延設部分２４と縦方向パイプ列１１と間の部分にも、土砂２０が充填されるようになっている。側部立坑１８の外側の土留壁２３ａを上方に延設するには、例えば土留杭を溶接等によって継ぎ足す方法等、公知の各種の工法によって容易に行うことができる。このような外側の土留壁２３ａを上方に延設する工程は、側部立坑１８を埋戻した後に行うこともでき、また側部立坑１８を埋戻すのに先立って、外側の土留壁２３ａを函体構造物１０の天盤部１０ｂの高さ位置まで上方に延設し、側部立坑１８を埋戻す際に延設部分２４の内側にも土砂２０を充填することもできる。
【００２２】
外側の土留壁２３ａの延設部分２４と縦方向パイプ列１１と間の部分にも土砂２０を充填することにより、例えば縦方向パイプ列１１と橋脚１５との間の部分に土砂２０を投入充填して横方向パイプ列１２の支持基盤２１を形成する際に、転圧時の荷重等を、縦方向パイプ列１１を挟んだ反対側からの土圧によって強固に支持して、十分に締め固められた安定した状態の支持基盤２１を容易に形成することが可能になる。
【００２３】
縦方向パイプ列１１の最上段に配置された角部矩形パイプ１９ｂから横方向に連設して、横方向パイプ列１２を構成する矩形パイプ１９ｃを支持基盤２１上に設置する工程では、例えば横設した矩形パイプ１９ｃを、十分に締め固められた縦方向パイプ列１１と橋脚１５との間の支持基盤２１上に並べた状態で配置する。本実施形態では、橋脚１５にかからないように、矩形パイプ１９ｃが支持基盤２１上に２列に配置される。
【００２４】
ここで、横方向パイプ列１２を構成する矩形パイプ１９ｃは、縦方向パイプ列１１を構成する矩形パイプ１９ａや角部矩形パイプ１９ｂと同様に、例えばアール・アンド・シー工法（株式会社奥村組製）に使用する公知の矩形パイプを好ましく用いることができる。また矩形パイプ１９ｃは、例えば外周面から突出して設けた継手リブ等を介して連結することにより、他の矩形パイプ１９ｃや角部矩形パイプ１９ｂと連設した状態で容易に接合一体化することができる。
【００２５】
本実施形態では、図５（ａ），（ｂ）に示すように、角部矩形パイプ１９ｂ及び横方向パイプ列１２を構成する矩形パイプ１９ｃの上面には、当該上面を覆うようにして、縁切り板２２が、各矩形パイプ１９ｂ，１９ｃの長手方向に沿って載置される。ここで、縁切り板２２は、例えば上述のアール・アンド・シー工法に使用する公知のフリクションカットプレートを好ましく用いることができる。また縁切り板２２は、例えば側縁部に沿って設けられた継手プレートを介して密着状態で連結することにより、容易に接合一体化することができる。
【００２６】
なお、本実施形態では、角部矩形パイプ１９ｂを含む縦方向パイプ列１１を構成する矩形パイプ１９ａの側面にも、当該側面を覆って縁切り板２２を取り付けておくことができる。これらの側面を覆って縁切り板２２を取り付けておくことにより、縦方向パイプ列１１及び横方向パイプ列１２と置換して既製の函体構造物１０を押し出してゆく際に、縁切り板２２の内側面をガイド面として、周囲の土砂２０や基礎地盤１４と縁切りした状態で、函体構造物１０をスムーズに押し出してゆくことが可能になる。
【００２７】
橋桁１６と角部矩形パイプ１９ｂ及び／又は支持基盤２１上の矩形パイプ１９ｃとの間に介在させて桁受け部材１７を取り付ける工程では、図５（ａ），（ｂ）に示すように、桁受け部材１７として例えばＨ形鋼やＩ形鋼を、角部矩形パイプ１９ｂや矩形パイプ１９ｃの縁切り板２２によって覆われた上面に、橋桁１６と略垂直に交差させて設置する。桁受け部材１７を設置するには、例えば角部矩形パイプ１９ｂや矩形パイプ１９ｃの上面に支持させて、橋桁１６を一旦ジャッキアップし、桁受け部材１７の天端面が橋脚１５の橋台１５ａの高さとなるようにその高さを調整した後に、橋桁１６を桁受け部材１７の天端面に載置する。
【００２８】
また、本実施形態では、桁受け部材１７は、これの底面と、角部矩形パイプ１９ｂや矩形パイプ１９ｃの上面に載置された縁切り板２２との間に介在して、回転移動機能を備えるスライド部材２７として、例えばコンベアチェーンが設けられている。スライド部材２７が設けられていることにより、桁受け部材１７は、角部矩形パイプ１９ｂや矩形パイプ１９ｃの上面に載置された縁切り板２２に対してスライド移動可能に設置されることになる。これによって、縁切り板２２の下面をガイド面として、当該縁切り板２２を残置しつつ既製の函体構造物１０を押し出して縦方向パイプ列１１及び横方向パイプ列１２と置換する際に、押し出し時の衝撃や摩擦等によって縁切り板２２が移動しようとしても、このような移動による変位を吸収して、橋桁１６の位置を保持することが可能になる。
【００２９】
さらに、本実施形態では、図４に示すように、橋桁１６の下方における、側部立坑１８の外側の土留壁２３ａと隣接する部分の地盤から立設して、土留壁２３ａの上方への延設部分２４と対向配置された複数本の桁受け柱２８が設けられている。また、これらの桁受け柱２８の上端と土留壁２３ａの延設部分２４の上端との間に架設されて、桁受け梁２９が取り付けられている。そして、桁受け梁２９の上面には、橋桁１６との間に介在して、例えばＨ形鋼やＩ形鋼からなる補助桁受け部材３０が、桁受け梁２９及び橋桁１１と略垂直に交差して設置される。補助桁受け部材３０は、角部矩形パイプ１９ｂや矩形パイプ１９ｃの上面に設置した桁受け部材１７と共に橋桁１６を支持することにより、さらに安定した状態で橋桁１６を使用状態に保持することが可能になる。
【００３０】
桁受け部材１７によって橋桁１６の一端部を橋脚１５から盛換え可能に支持したら、支持基盤２１上の矩形パイプ１９ｃから横方向に連設する矩形パイプ１９ｃを、橋脚１５を横断して設置する作業を行う。本実施形態では、橋脚１５を横断して矩形パイプ１９ｃを設置する作業に先立って、例えば図６及び図７に示すように、作業領域の周囲の地盤に地盤改良３１を施すと共に、橋脚１５を挟んだ横断方向の一方の側部及び他方の側部を掘り下げて、発進基地３２や到達基地３３を形成する。また、発進基地３２や到達基地３３に作業用の諸設備を設置する。
【００３１】
すなわち、例えば薬液注入工法等の公知の各種の改良工法を用いて地盤改良３１を行うことにより、作業領域の周囲の地盤を安定させると共に、作業領域の周囲を囲むようにして土留鋼矢板３４を打設し、反力を得るための背面盛土３５を施工する。また例えばアースアンカーを打設しつつ、橋脚１５を挟んだ両側部を掘り下げて、発進基地３２及び到達基地３３を形成する（図６参照）。
【００３２】
さらに、作業用の諸設備として、到達基地３３には、矩形パイプ発進架台３６、矩形パイプ推進機３７等が設置されると共に、発進基地３２には、矩形パイプ撤去架台３８、反力壁３９等が設置される。また発進基地３２では、函体構造物１０が築造される（図７参照）。なお、これらの作業は、上述の各工程と併行して行うこともできる。
【００３３】
そして、支持基盤２１上の矩形パイプ１９ｃから横方向に連設して、横方向パイプ列１２を構成する矩形パイプ１９ｃを橋脚１５を横断して設置する工程では、例えば上述のアール・アンド・シー工法と同様にして、図７に示すように、到達基地３３に設置した矩形パイプ発進架台３６から、単位パイプ４０を順次継ぎ足しつつ、上面に縁切り板２２が載置された矩形パイプ１９ｃを、矩形パイプ推進機３７によって橋脚１５及び発進基地３２に向けて押し出す。また矩形パイプ１９ｃの先端の作業開口から、橋脚１５や基礎地盤１４を、例えばブレーカやノミ、スコップ等を用いて破砕したり掘削しながら矩形パイプ１９ｃを推進させ、発進基地３２に到達させることにより、矩形パイプ１９ｃが、橋脚１５を横断して例えば３列に設置されることになる（図４参照）。
【００３４】
本実施形態では、橋脚１５を横断する部分の矩形パイプ１９ｃを設置したら、図１に示すように、函体構造物１０の天盤部１０ｂの位置に配置されて横方向パイプ列１２を構成する残りの矩形パイプ１９ｃと、函体構造物１０の橋桁１６の下方部分とは反対側の側壁部１０ａの位置に配置されて縦方向パイプ列１１を構成する矩形パイプ１９ａ及び角部矩形パイプ１９ｂとを、軌条１３の下方の基礎地盤１４中に設置する。これらの矩形パイプ１９ａ，１９ｂ，１９ｃの設置作業は、例えば上述のアール・アンド・シー工法と同様にして、図７に示すように、到達基地３３に設置した矩形パイプ発進架台３６から、単位パイプ４０を順次継ぎ足しつつ、矩形パイプ１９ａ，１９ｂ，１９ｃを、矩形パイプ推進機３７によって発進基地３２に向けて押し出すと共に、先端の作業開口から基礎地盤１４を掘削しながら矩形パイプ１９ｃを推進させ、発進基地３２に到達させることによって行われる。
【００３５】
上述のようにして、橋脚１５によって支持された橋桁１６の下方部分を含む領域に、函体構造物１０の両側の側壁部１０ａ及び天盤部１０ｂに沿って縦方向パイプ列１１及び横方向パイプ列１２を設置したら（図１参照）、本実施形態では、例えば上述のアール・アンド・シー工法と同様に、発進基地３２で築造された函体構造物１０を、到達基地３３に向けて押し出すことにより縦方向パイプ列１１及び横方向パイプ列１２と置換して、函体構造物１０を道路トンネル用の地下構造物として構築する。
【００３６】
発進基地３２で築造された函体構造物１０を縦方向パイプ列１１及び横方向パイプ列１２と置換するには、図２に示すように、発進基地３２において、矩形パイプ撤去架台３８を撤去すると共に、築造された既製の函体構造物１０の前方に刃口４１や先端ジャッキ４２を組み付ける。また、函体構造物１０の後方に元押しジャッキ、井桁、調整枠等による反力設備４３を設置する。さらに、到達基地３３では、矩形パイプ発進架台３６を矩形パイプ撤去架台３８として組み替える。
【００３７】
次に、函体構造物１０の端面１０ｄを、先端ジャッキ４２を介して縦方向パイプ列１１及び横方向パイプ列１２の端面に当接させ、且つ横方向パイプ列１２の上面に載置された縁切り板２２の端部を不動箇所に固定する。この状態で、図８に示すように、橋脚１５を含む軌条１３の下方の基礎地盤１４の土砂を函体構造物１０の中空内部を介して撤去しつつ、横方向パイプ列１２の上面に載置された縁切り板２２の下面をガイド面として、元押しジャッキ等の駆動によって函体構造物１０を押し出すようにして到達基地３３に向けて前進させる。
【００３８】
ここで、函体構造物１０の前進によって、縦方向パイプ列１１や横方向パイプ列１２を構成する各矩形パイプ１９ａ，１９ｂ，１９ｃは、到達基地３３に押し出されるので、押し出された矩形パイプ１９ａ，１９ｂ，１９ｃを例えば単位パイプ４０毎に回収する。
【００３９】
そして、発進基地３２において反力設備４３に井桁等を追加配置すると共に、到達基地３３で押し出された矩形パイプ１９ａ，１９ｂ，１９ｃを回収しつつ、図９及び図１０に示すように、函体構造物１０の先端が到達基地３３に到達するまで、引き続き函体構造物１０を前進させれば、縦方向パイプ列１１及び横方向パイプ列１２と置換されて、函体構造物１０が、道路トンネル用の地下構造物として橋桁１６の下方部分を含む領域に構築されることになる。
【００４０】
函体構造物１０の先端が到達基地３３に到達したら、例えば函体構造物１０の周囲の地盤に裏込めを注入すると共に、刃口４１、反力設備４３、矩形パイプ撤去架台３８、反力壁３９等を解体撤去して、函体構造物１０の設置作業が終了する。また函体構造物１０を設置したら、土留鋼矢板３４や、桁受け柱２８、桁受け梁２９等を撤去して現場復旧作業を行う。さらに、例えば角部矩形パイプ１９ｂや矩形パイプ１９ｃの上面から桁受け部材１７によって支持された橋桁１６の下方部分に、コンクリート充填打設する等の仕舞作業を行って、全体の工事を完了する。
【００４１】
そして、本実施形態の函体構造物１０の構築方法によれば、上述のように、側部立坑１８を築造する工程と、この側部立坑１８内から矩形パイプ１９ａを積み上げて縦方向パイプ列１１を設置する工程と、側部立坑１８に土砂２０を充填して埋戻すと共に、縦方向パイプ列１１と橋脚１５との間の部分に支持基盤２１を形成する工程と、縦方向パイプ列１１の最上段の角部矩形パイプ１９ｂから横方向に連設して、横方向パイプ列１２を構成する矩形パイプ１９ｃを支持基盤２１上に設置する工程と、橋桁１６と角部矩形パイプ１９ｂ及び支持基盤２１上の矩形パイプ１９ｃとの間に介在させて取り付けた桁受け部材１７によって橋桁１６を支持させる工程と、横方向パイプ列１２を構成する矩形パイプ１９ｃを橋脚１５を横断して設置する工程とを含んでいるので、橋脚１５によって支持された橋桁１６の下方部分を含む領域に、函体構造物１０を橋脚を横断して構築する際に、橋桁１６からの荷重を強固かつ安定した状態で支持しつつ、函体構造物１０を縦方向パイプ列１１及び横方向パイプ列１２と容易に置換することが可能になる。
【００４２】
なお、本発明は上記各実施形態に限定されることなく種々の変更が可能である。例えば、桁受け部材は、角部矩形パイプや支持基盤上の矩形パイプの上面に載置された縁切り板に対してスライド移動可能に設置される必要は必ずしもない。また橋桁の下方に桁受け柱や桁受け梁を設置して、補助桁受け部材を設ける必要は必ずしもない。さらに、本発明は、軌条の下方に道路トンネル用の地下構造物を形成する場合に限定されることなく、橋脚によって支持された橋桁の下方部分を含む領域に、矩形断面を有する種々の函体構造物を構築するべく採用することができる。
【図面の簡単な説明】
【００４３】
【図１】本発明の好ましい一実施形態に係る函体構造物の構築方法を説明する断面図である。
【図２】本発明の好ましい一実施形態に係る函体構造物の構築方法の作業工程を説明する、図１のＡ−Ａに沿った断面図である。
【図３】本発明の好ましい一実施形態に係る函体構造物の構築方法の作業工程を説明する要部断面図である。
【図４】本発明の好ましい一実施形態に係る函体構造物の構築方法の作業工程を説明する要部断面図である。
【図５】（ａ）は、桁受け部材によって橋桁を支持する状態を説明する拡大断面図、（ｂ）は、桁受け部材を縁切り板に対してスライド移動可能に設置した状態を説明する部分斜視図である。
【図６】（ａ）は、本発明の好ましい一実施形態に係る函体構造物の構築方法の作業工程を説明する、図１のＡ−Ａに沿った断面図、（ｂ）は、（ｂ）のＡ−Ａに沿った要部断面図である。
【図７】本発明の好ましい一実施形態に係る函体構造物の構築方法の作業工程を説明する、図１のＡ−Ａに沿った断面図である。
【図８】本発明の好ましい一実施形態に係る函体構造物の構築方法の作業工程を説明する、図１のＡ−Ａに沿った断面図である。
【図９】本発明の好ましい一実施形態に係る函体構造物の構築方法の作業工程を説明する、図１のＡ−Ａに沿った断面図である。
【図１０】本発明の好ましい一実施形態に係る函体構造物の構築方法の作業工程を説明する、図１のＡ−Ａに沿った断面図である。
【符号の説明】
【００４４】
１０  函体構造物
１０ａ  函体構造物の側壁部
１０ｂ  函体構造物の天盤部
１１  縦方向パイプ列
１２  横方向パイプ列
１３  軌条
１４  基礎地盤
１５  橋脚
１６  橋桁
１７  桁受け部材
１８  側部立坑
１９ａ  縦方向パイプ列を構成する矩形パイプ
１９ｂ  角部矩形パイプ
１９ｃ  横方向パイプ列を構成する矩形パイプ
２０  土砂
２１  横方向パイプ列の支持基盤
２２  縁切り板
２３ａ  側部立坑の外側の土留壁
２３ｂ  側部立坑の内側の土留壁
２４  側部立坑の外側の土留壁の上方への延設部分
２７  スライド部材
３０  補助桁受け部材
３２  発進基地
３３  到達基地
４１  刃口
４３  反力設備
【図１】
0004926092.tif 000002
【図２】
0004926092.tif 000003
【図３】
0004926092.tif 000004
【図４】
0004926092.tif 000005
【図５】
0004926092.tif 000006
【図６】
0004926092.tif 000007
【図７】
0004926092.tif 000008
【図８】
0004926092.tif 000009
【図９】
0004926092.tif 000010
【図１０】
0004926092.tif 000011